(57)【要約】      （修正有）【課題】利便性がよいブラインドの操作装置を提供する。【解決手段】スクリーンを昇降操作するための操作コードが巻き取り及び巻き解き可能に巻回されたコードリールと、コードリールに一端が固定され、他端が係止部３６１に係止されてコードリールを操作コードの巻取方向へ付勢するぜんまいバネと、を備えた操作ユニットであって、係止部３６１に係止されたぜんまいバネの他端の係止部３６１からの外れを規制する規制部３６２とを備えた。【選択図】図１１
2019210665.tif 000002
【特許請求の範囲】
【請求項１】
遮蔽材を昇降操作するための操作コードが巻き取り及び巻き解き可能に巻回されたコードリールと、該コードリールに一端が固定され、他端が係止部に係止されて前記コードリールを前記操作コードの巻取方向へ付勢するバネと、を備えたブラインドの操作装置であって、
前記係止部に係止された前記バネの他端の移動を規制する規制部と
を備えることを特徴とするブラインドの操作装置。
【請求項２】
前記バネは、前記他端部を内側にして渦巻状に巻回しており、
前記バネの径外方向における前記規制部の先端は、前記係止部より前記径外方向において外側に位置する
ことを特徴とする請求項１記載のブラインドの操作装置。
【請求項３】
前記規制部の先端は、前記バネの周方向において前記係止部側に突出している
ことを特徴とする請求項２記載のブラインドの操作装置。
【請求項４】
前記コードリールの中心軸から、該コードリールの径より小さい第１の仮想円の中心と、前記第１の仮想円の径より小さい第２の仮想円の中心とが同一方向において変位しており、
前記コードリールの中心軸からの前記第１の仮想円の変位量は、前記第２の仮想円より大きく、
前記第１の仮想円と前記第２の仮想円とは、その周縁の一部が重なるまたは近接し、
前記係止部は、前記第２の仮想円の周縁に沿って延在し、
前記規制部の先端は、前記第１の仮想円の周縁に接し、
前記バネは、前記コードリールが所定の方向に回転した際、前記他端部から前記係止部、前記第２の仮想円、前記第１の仮想円、前記規制部の順に接するように巻かれることにより楕円状に巻回される
ことを特徴とする請求項２または請求項３記載のブラインドの操作装置。
【請求項５】
前記係止部と前記規制部とは前記コードリールを相対回転可能に軸支する固定軸に連結されており、
前記規制部は、前記係止部との間に前記バネが挿通可能な間隙が形成されるように隣接して設けられる
ことを特徴とする請求項１〜請求項４のいずれか一項に記載のブラインドの操作装置。
【請求項６】
前記バネは、前記操作装置の外殻を形成するケースにおける所定の内壁面に隣接するように略平行に巻回されており、
前記内壁面における前記バネの他端部に接地または近接する第１の面は、前記内壁面における該第１の面以外の第２の面よりも面外方向に突出する
ことを特徴とする請求項１〜請求項５のいずれか一項に記載のブラインドの操作装置。
【発明の詳細な説明】
【技術分野】
【０００１】
本実施形態は、遮蔽材を昇降操作するための操作コードが巻き取り及び巻き解き可能に巻回されたコードリールと、当該コードリールに一端が固定され、他端が係止部に係止されてコードリールを操作コードの巻取方向へ付勢するバネと、を備えたブラインドの操作装置に関する。
【背景技術】
【０００２】
従来、この種の操作装置としては、下記特許文献１に示されるものが知られている。この特許文献１に示される操作ユニットは、回転自在なプーリ（コードリール）を収容する操作ケースと、プーリに一端が巻取り及び巻解き可能に連結される巻取部材と、巻取部材を常時プーリに巻き取られる方向またはプーリから巻き解かれる方向へ付勢するバネと、巻取部材のプーリへの所定量以上の巻取りを規制するストッパーと、ストッパーによって巻取部材と連結され操作ケースから垂下する把持部材とを有し、クラッチ機構を介して巻取パイプに連結されている。この操作ユニットの把持部材を操作して巻取部材を巻取り及び巻解きさせることによりプーリが回転し、当該回転に応じて巻取パイプが回転することで遮蔽材を昇降操作することができる。
【先行技術文献】
【特許文献】
【０００３】
【特許文献１】特開２０１７−１３３２９３号公報
【発明の概要】
【発明が解決しようとする課題】
【０００４】
上述した特許文献１記載の操作ユニットは、バネの付勢力に抗して把持部材を引き下げると、バネは巻取部材の巻解方向に旋回することとなる。この状態において手を離すと、解放されたバネの反発力に応じて勢いよくプーリが巻取部材を巻き取る、即ち勢いよくバネが巻取方向に旋回することとなる。当該操作ユニットのバネの一端は、操作ケース内に設けられた固定軸の固定部分にＵ字状に掛けられているため、勢いよくバネが旋回することにより、当該固定部分に掛けられたバネの一端が巻取方向に移動し、延いては当該固定部分から外れる可能性があり、利便性が悪いという問題があった。
【０００５】
本発明は上述した問題点を解決するためになされたものであり、利便性がよい操作装置を提供することを目的とする。
【課題を解決するための手段】
【０００６】
上述した課題を解決するため、本発明の一態様は、遮蔽材を昇降操作するための操作コードが巻き取り及び巻き解き可能に巻回されたコードリールと、該コードリールに一端が固定され、他端が係止部に係止されて前記コードリールを前記操作コードの巻取方向へ付勢するバネと、を備えたブラインドの操作装置であって、前記係止部に係止された前記バネの他端の前記係止部からの外れを規制する規制部とを備える。
【発明の効果】
【０００７】
本発明によれば、利便性がよいブラインドの操作装置を提供することができる。本発明のその他の効果については、以下の発明を実施するための形態の項でも説明する。
【図面の簡単な説明】
【０００８】
【図１】実施形態に係る操作ユニットを備えるブラインドの正面図である。
【図２】実施形態に係る操作ユニット周辺の斜視図であり、（ａ）は操作ユニットが備える操作コードの非操作時の状態を示し、（ｂ）は操作コードを手前に引いた状態を示す。
【図３】実施形態に係る操作ユニットの分解斜視図である。
【図４】実施形態に係る操作ユニットの部分断面図であり、（ａ）は操作コードの非操作時の状態を示し、（ｂ）は操作コードを引いた状態を示す。
【図５】図４（ａ）に示されるＡ−Ａ線断面図である。
【図６】図４（ａ）に示されるＢ−Ｂ線断面図である。
【図７】操作コードを引いた状態における操作ユニットのＡ−Ａ線断面相当図である。
【図８】操作コードを引いた状態における操作ユニットのＢ−Ｂ線断面相当図である。
【図９】図４（ａ）に示されるＣ−Ｃ線断面図である。
【図１０】操作コードを引いた状態における操作ユニットのＣ−Ｃ線断面相当図である。
【図１１】実施形態に係る操作ユニットが備える第２のケースの内部構成を示す側面図である。
【図１２】実施形態に係る第２のケースの内部構成を示す斜視図である。
【図１３】実施形態に係る操作ユニットが備えるコードリールと固定軸と係止機構との位置関係を説明するための図である。
【図１４】実施形態に係る操作ユニットの操作コードを離した際における、ぜんまいバネ他端の移動後の状態を示す側面図である。
【発明を実施するための形態】
【０００９】
以下、本発明に係る実施形態について図面を参照しつつ説明する。本実施形態においては、プリーツスクリーンにおける操作ユニットに本発明に係るブラインドの操作装置を適用した場合を例にとり説明を行う。なお、本実施形態においては、ブラインドが設けられた際の室内側の面を正面、室外側の面を背面、正面と背面とからなる方向を前後方向、ブラインドの長手方向を左右方向と称して以後説明を行う。また、本明細書及び図面において、実質的に同一の機能を有する構成要素については、同一の符号を付することにより重複説明を省略する。  
【００１０】
（全体構成）
先ず、本実施形態に係る操作ユニットを備えるブラインドの全体構成について説明する。図１は、実施形態に係る操作ユニットを備えるブラインドの正面図である。この図においては、ヘッドボックスのみが縦断面で示されている。図１に示されるように、本実施形態に係るブラインド１は、横型のプリーツスクリーンであり、窓枠等の設定面に固定されるヘッドボックス１０と、上端がヘッドボックス１０の下面に連結したプリーツ状のスクリーン２０と、スクリーン２０を昇降操作するための操作ユニット３０と、スクリーン２０の下端に取り付けられたボトムレール４０と、一端がヘッドボックス１０内で支持され、他端がスクリーン２０を挿通するように垂下してボトムレール４０に連結された２つの昇降コード５０と、を備える。
【００１１】
ヘッドボックス１０内には、その左右方向に延在する角柱状の回転軸１０２と、回転軸１０２が一体回転するように貫通し、それぞれが昇降コード５０を巻取り可能に昇降コード５０の一端が連結された２つの巻取ドラム１０４と、回転軸１０２の回転を拘束するストッパ装置１０６と、回転軸１０２の回転を減速するブレーキ装置１０８とが設けられている。回転軸１０２は、ヘッドボックス１０に隣接して設けられた操作ユニット３０内にまで達しており、操作ユニット３０による回転軸１０２の回転操作が可能となっている。
【００１２】
（操作ユニット３０）
本実施形態に係る操作ユニット３０について、図２〜図８を用いて詳細に説明する。図２は、本実施形態に係る操作ユニット周辺の斜視図であり、（ａ）は操作ユニットが備える操作コードの非操作時の状態を示し、（ｂ）は操作コードを手前に引いた状態を示す。図３は、第１の実施形態に係る操作ユニットの分解斜視図である。図４は、第１の実施形態に係る操作ユニットの部分断面図であり、（ａ）は操作コードの非操作時の状態を示し、（ｂ）は操作コードを引いた状態を示す。図５は図４（ａ）に示されるＡ−Ａ線断面図であり、図６は図４（ａ）に示されるＢ−Ｂ線断面図である。図７は操作コードを引いた状態における操作ユニットのＡ−Ａ線断面相当図であり、図８は操作コードを引いた状態における操作ユニットのＢ−Ｂ線断面相当図である。
【００１３】
図２（ａ）に示されるように、操作ユニット３０は、ヘッドボックス１０の左右方向一端部（ここでは図中右側端部）に固定され、下部に収容空間３２０が形成された本体ケース３００と、収容空間３２０を通じて一部が本体ケース３００に内蔵されたコードリール３０１（図３参照）に巻き取り／巻き解き可能に連結された操作コード３４０とを備える。操作ユニット３０は、図２（ｂ）に示されるように、操作コード３４０を引き下げ操作することによりスクリーン２０を昇降動作させるものである。例えば、スクリーン２０を降下させる際には、操作コード３４０を軽く引き下げることで、ストッパ装置１０６を解除して一定速度を維持しながらスクリーン２０を最下降位置まで降下させることができる。また、当該状態において操作コード３４０を離すと操作コード３４０のみが巻き取られ、その巻き取り後にもう一度引き下がることによりスクリーン２０を上昇させることができる。
【００１４】
（操作コード３４０）
操作コード３４０は、図２（ｂ）に示されるように、コードリール３０１に巻き取り／巻き解き可能に巻回され、後述するぜんまいバネ３０２（図５、図７参照）により常に巻き取られる付勢力が加わっている巻取コード３４１と、操作者が操作可能に開口３２１から垂下する把持コード３４２と、把持コード３４２のコードリール３０１への巻き取りを規制するストッパ３４３とを備える。本実施形態においては、巻取コード３４１及び把持コード３４２は紐状をなしており、ストッパ３４３を介して連結されている。把持コード３４２の下端には、ブラインド１の操作者が把持する棒状の把持部３４４（図１参照）が設けられており、その操作性を良好なものとしている。ストッパ３４３は、中空樽状に形成されており、その中空部にそれぞれ巻取コード３４１と把持コード３４２とが挿通されて内部でこれらと連結するジョイント部材としても機能する。なお、ストッパ３４３内において巻取コード３４１と把持コード３４２とが互いに連結されるようにしてもよく、巻取コード３４１と把持コード３４２とが一体的に構成されていてもよい。また、ストッパ３４３は、把持コード３４２が引かれていない状態においては、常時収容空間３２０内に収容される。
【００１５】
（収容空間３２０）
収容空間３２０は、図２、図４、図８に示されるように、本体ケース３００の左右方向略中央における正面側下端部に位置付けられており、巻取コード３４１がコードリール３０１に巻き取られている状態（以後、この状態を非操作状態と称する）において、ストッパ３４３を収容する。また、収容空間３２０に収容されたストッパ３４３を導出するために、外部と収容空間３２０とを連通する開口３２１が本体ケース３００に形成されている。開口３２１は、収容空間３２０の正面及び下面が開放するように正面及び下面の２面に連続して形成されており、したがってストッパ３４３はその正面及び下面が露出した状態で収容される。
【００１６】
また、収容空間３２０は、図８に示されるように、その天井壁部３２２に巻取コード３４１が挿通可能な挿通孔３２３が設けられており、この挿通孔３２３を通って巻取コード３４１を本体ケース３００内外へ出し入れ可能にしている。挿通孔３２３は、巻取コード３４１を挿通可能且つストッパ３４３が挿通不能な径を有しており、したがって非操作状態として巻取コード３４１がコードリール３０１に完全に巻き取られている状態においても、その天井壁部３２２にストッパ３４３が当接することでストッパ３４３が本体ケース３００内へ侵入することを防止している。これにより、操作コード３４０のコードリール３０１への所定量以上の巻き取りを規制し、延いては把持コード３４２の本体ケース３００内への導入を規制している。
【００１７】
（本体ケース３００）
本体ケース３００は、図３に示されるように第１のケース３００−１と第２のケース３００−２とに分割可能にされており、その内部にコードリール３０１を含むクラッチ機構が内蔵されている。また、本体ケース３００−２内壁面には、コードリール３０１を相対回転可能に軸支する固定軸３０９が設けられており、その固定軸３０９下方に本実施形態に係るぜんまいバネ３０２を係止する係止機構３６０が設けられている。
【００１８】
本実施形態に係る係止機構を説明する前に、本発明の理解を容易にするために前述したクラッチ機構の構成及びその動作について図４〜図１０を用いて簡単に説明する。図９は図４（ａ）に示されるＣ−Ｃ線断面図であり、図１０は操作コードを引いた状態における操作ユニットのＣ−Ｃ線断面相当図である。
（クラッチ機構）
本体ケース３００内にはクラッチ機構として、図４、図５、図９、図１０に示されるように、コードリール３０１と、ぜんまいバネ３０２と、中継軸３０３と、クラッチドラム３０４と、クラッチピン３０５と、ガイドワッシャ３０６と、カムドライブ３０７と、連動部材３０８とを備える。
【００１９】
図５及び図６に示されるように、コードリール３０１は、第２のケース３００−２の固定軸３０９により相対回転可能に軸支されており、巻取コード３４１が巻回可能にその一端部が連結されている。ぜんまいバネ３０２は、一端がコードリール３０１に固定され、他端が後述する係止機構３６０に係止されており、コードリール３０１に巻取コード３４１が巻き取られる巻取方向の付勢力を常時付与する。図４に示されるように、中継軸３０３は一端が固定軸３０９に嵌入し、他端がクラッチドラム３０４の中空部に嵌入してこれを相対回転不能に支持している。図９に示されるように、クラッチドラム３０４は、中空円筒状をなしており、その周壁にクラッチバネが嵌合している。クラッチピン３０５は、円柱状をなしており、コードリール３０１の径方向に沿って進退することにより連動部材３０８に対しコードリール３０１の回転の伝達／非伝達を行う。なお、以降の説明で径方向、径内方向、径外方向と単独で記載したものは、コードリール３０１における各方向を示すものとする。
【００２０】
ガイドワッシャ３０６は、中空円盤状をなしてその中空部にクラッチドラム３０４が嵌合し（図４参照）、相対回転可能に支持されている。また、ガイドワッシャ３０６は、図９に示されるように、一方の面にクラッチピン３０５の進退動作を案内する突起３０６ａが３組、カムドライブ３０７と一体回転するための突起３０６ｂが２組設けられている。カムドライブ３０７は、中空円盤状をなしてその中空部にクラッチドラム３０４が嵌合し、相対回転可能に支持されている。カムドライブ３０７は、コードリール３０１の突起３０１ａが挿通されてコードリール３０１と一体回転可能に係合する開口３０７ａが設けられると共に、一方の面にクラッチピン３０５を進退移動させるカム面を有する突起３０７ｂと、突起３０６ｂに当接可能な突起３０７ｃとが設けられている。カムドライブ３０７はガイドワッシャ３０６と互いに相対回転可能であるが、突起３０６ｂと突起３０７ｃとが当接した際には相対回転が規制される。連動部材３０８は、第１のケース３００−１内において回転軸１０２が相対回転不能に嵌合しており、クラッチピン３０５と係合可能に径内方向に突出する係合部３０８ａが設けられている。
【００２１】
次に、操作コード３４０が引かれた際のクラッチ機構の動作を簡単に説明する。
【００２２】
既にスクリーン２０が最下降位置まで降下された状態においては、図９に示されるようにクラッチピン３０５が連動部材３０８の係合部３０８ａと係合していない状態となっている。ここで操作者が把持コード３４２を引き下げ始めると、巻取コード３４１が巻き解かれてコードリール３０１が巻解方向へ回転し、ぜんまいバネ３０２が当該回転に応じて旋回することにより縮径することとなる（図７参照）。続いて、コードリール３０１はカムドライブ３０７と一体回転し始め、突起３０７ｂのカム面とクラッチピン３０５とが当接してクラッチピン３０５が径外方向に移動し、連動部材３０８の係合部３０８ａに係合する。当該係合時には、突起３０６ｂと突起３０７ｃとが当接し、図１０に示される状態となる。これにより、コードリール３０１の回転が連動部材３０８を介して回転軸１０２に伝達され、これらが一体的に回転するようになる。この回転軸１０２の回転に応じて回転ドラム１０４が昇降コード５０を巻き取ることにより、スクリーン２０を上昇させることができる。
【００２３】
なお、ある程度把持コード３４２を引いた状態において手を離すと、ぜんまいバネ３０２により巻取コード３４１が巻き取られると共に、コードリール３０１が逆回転となるが、これに応じてクラッチピン３０５と連動部材３０８との係合が解除されるため、回転軸１０２にはその逆回転が伝達することはない。
【００２４】
（係止機構３６０）
上述した係止機構３６０について図１１及び図１２を用いて詳細に説明する。図１１は本実施形態に係る操作ユニットが備える第２のケースの内部構成を示す側面図であり、図１２は本実施形態に係る第２のケースの内部構成を示す斜視図である。
【００２５】
図１１に示されるように、係止機構３６０は、第２のケース３００−２における固定軸３０９の下方に配設されており、ぜんまいバネ３０２の他端を係止する係止部３６１と、ぜんまいバネ３０２の他端の移動を規制する規制部３６２とを備える。固定軸３０９周りにおける第２のケース３００−２の内壁面のうち、コードリール３０１が備えられた際に当該コードリール３０１内に位置する内壁面は、図５に示されるようにぜんまいバネ３０２収容時に隣接する収容面３００−２ａとなっており、図１２に示されるように係止機構３６０は収容面３００−２ａから面外方向に突出する形で設けられている。
【００２６】
係止部３６１は、湾曲するように延在する平板部材であり、その一端が固定軸３０９から径外方向に突出した脚部３０９ａに連結されている。係止部３６１は、図５に示されるようにぜんまいバネ３０２の他端が係止部３６１の径方向内側面略全面と、その縁部にそれぞれ当接するようにＵ字状に掛けられることにより、ぜんまいバネ３０２を係止している。ぜんまいバネ３０２は、この状態においてさらに渦巻状に巻回されると共に、一端部がコードリール３０１に巻き掛けられることでその反発力により巻回方向の逆方向（コード巻取方向）に付勢した状態で配設される。
【００２７】
規制部３６２は、固定軸３０９から下方に延在すると共に係止部３６１との間に間隙を形成するように湾曲して延在する平板部材であり、ぜんまいバネ３０２は、この間隙を通過する形で係止部３６１に係止されている。規制部３６２の一端部は、固定軸３０９に連結されており、他端部、即ち規制部３６２の径方向先端は、係止部３６１より径方向において外側に位置するよう突出している。この突出量は適宜であるが、少なくともぜんまいバネ３０２の厚み（平板状時）以上突出されることが好ましい。
【００２８】
以下、係止部３６１と規制部３６２との具体的な位置関係を図１３を用いてより詳細に説明する。図１３は、本実施形態に係る操作ユニットが備えるコードリールと固定軸と係止機構との位置関係を説明するための図である。ここでの符号Ｄ１は、コードリール３０１における、その周面に巻取コード３４１が巻回される円筒状のドラム部分の中心点（中心軸）を示している。また、符号Ｄ２は後述する仮想円Ｅの中心点を、符号Ｄ３は後述する仮想円Ｆの中心点をそれぞれ示している。
【００２９】
図１３に示されるように、中心点Ｄ２及びＤ３は、中心点Ｄ１と同一方向（ここでは下方）において変位している。この変位量は中心点Ｄ１からみて中心点Ｄ２よりも中心点Ｄ３の方が大きく、円の径は仮想円Ｅよりも仮想円Ｆの方が大きい。またさらに、仮想円Ｅ及び仮想円Ｆはその上端において一致または近接している。各円の変位量は、例えば固定軸３０９においてコードリール３０１に挿通される円筒部分がφ１０ｍｍであれば、仮想円Ｅのφ１３ｍｍ、仮想円Ｆをφ１４ｍｍとし、仮想円Ｅの変位量は１ｍｍ、仮想円Ｆの変位量は１．５ｍｍとすることが好ましい。なお、これらの数値は、操作するブラインドや操作装置のサイズ、種類等により適宜設定すればよい。
【００３０】
係止部３６１は、その径方向外側曲面が仮想円Ｅにおける一部の周縁に沿うように湾曲して形成されている。一方、規制部３６２の径外方向先端は、仮想円Ｆにおける一部の周縁に接するように形成されており、さらに仮想円Ｆの周方向に沿って係止部３６１側に突出する形状をなしている。なお、当該先端は、強度の観点から周方向において係止部３６１を覆うまでは突出していないが、強度を考慮しない（高強度の材質を用いる等）のであれば係止部３６１を覆うまで突出させるようにしてもよい。また、固定軸３０９から放射状に延在する、ぜんまいバネ３０２を巻回するための脚部もこれらの円にまで達するよう形成されている。具体的には、脚部３０９ａと３つの脚部３０９ｂとが仮想円Ｅの周縁に接するように形成されると共に、３つの脚部３０９ｃが仮想円Ｆの周縁にそれぞれ接するように形成されている。即ち係止部３６１及び脚部３０９ｂは仮想円Ｅ内に位置し、規制部３６２及び脚部３０９ｃは仮想円Ｆ内に位置している。
【００３１】
また本実施形態においては、ぜんまいバネ３０２が係止部３６１に係止された状態において、その他端部が図１１及び図１２に示されるように、係止部３６１、脚部３０９ａ、及び固定軸３０９に略囲繞された第２のケース３００−２の内壁面の一部である接地面３００−２ｂに接地している。この接地面３００−２ｂは、収容面３００−２ａよりも面外方向に突出しており、したがって、接地面３００−２ｂと収容面３００−２ａとの間に段差部３００−２ｃが形成されることとなる。この接地面３００−２ｂの突出量は、本実施形態においては０．２ｍｍ程度あればよいが、操作するブラインドや操作装置のサイズ、種類等により適宜設定すればよい。
【００３２】
以上に説明した本実施形態に係る操作ユニット３０によれば、係止機構３６０が規制部３６２を有することにより、操作者が操作コード３４０を引いた状態において手を離すなどしてぜんまいバネ３０２の反発力が解放されることに起因するぜんまいバネ３０２の他端の移動が生じたとしても、図１４に示されるように規制部３６２に接触することで当該移動を規制することができる。したがって、当該移動によるぜんまいバネ３０２の外れを防止することができ、延いては利便性の向上を実現できる。また、規制部３６２の先端を仮想円Ｆの周方向に沿って係止部３６１側に突出させることにより、ぜんまいバネ３０２の他端の移動をより効果的に規制することができる。
【００３３】
また、固定軸３０９に設けられた係止部３６１に隣接するように規制部３６２を設けたことにより、新たな部品を追加することなく省スペース化を実現している。また、ぜんまいバネ３０２の他端を固定せずにその移動を規制することができるため、ぜんまいバネ３０２の他端を締結部材や接着剤等により固定場合と比較して、組み立て、交換等の効率化を図ることができる。
【００３４】
また、本実施形態によれば、係止機構３６０及び固定軸３０９が仮想円Ｅ、Ｆに基づいて形成されることにより、図７に示されるような、ぜんまいバネ３０２が旋回して縮径された状態において、楕円状に巻回されることとなる。より具体的には、当該状態においてぜんまいバネ３０２は、係止部３６１に掛けられたその他端部から係止部３６１の径方向外側面、脚部３０９ｂ（図１３参照）に接した後、脚部３０９ｃ（図１３参照）に接し、最後に規制部３６２に接することとなる。つまり、図１３に示される係止部３６１（仮想円Ｅを含む）、仮想円Ｅ、仮想円Ｆ、規制部３６２（仮想円Ｆを含む）の順に接する。これにより、コードリール３０１の中心点Ｄ１から中心が変位した互いに異なる径の円を経由することとなり、ぜんまいバネ３０２が楕円状に巻回されることとなる。
【００３５】
一般的にぜんまいバネは、コードリールの中心軸と同軸で真円状に巻回されるものであり、設計上、所定長の径を有する軸に巻回される。この所定長の径とはぜんまいバネの機能を損なうことなく巻回するに必要な径である。本実施形態においては、この所定長の径を仮想円Ｆに設定し、図１３に示されるように前後方向一方側を仮想円Ｆに沿って、他方側を仮想円Ｅに沿ってぜんまいバネ３０２が巻回されることにより、その機能を損なうことなく真円と比較して他方側の半径が小さい楕円状に巻回することができる。したがって、操作コード３４０を引き下げる際のストロークを長くとることができ、少ない操作回数量でスクリーン２０の操作（ここでは上昇）を行うことが可能となるため、利便性を向上することができる。さらに、真円と比較して巻き芯を小さくできることで、ぜんまいバネ３０２の軸への巻き締めが緩くなり、バネの耐久性を向上することができる。
【００３６】
また、本実施形態によれば、収容面３００−２ａより接地面３００−２ｂが突出して形成されている。したがって、ぜんまいバネ３０２は、係止部３６１に係止された状態において他端部のみが接地面３００−２ｂに接地または近接される。これにより、ぜんまいバネ３０２の他端以外の部分が収容面３００−２ａと接触することなく離間した状態となる。このようにぜんまいバネ３０２の他端のみが接地し、それ以外の大部分が収容面３００−２ａに接地しないことにより、操作コード３４０の操作に応じたぜんまいバネ３０２の旋回を円滑に行わせることができ、またぜんまいバネの旋回時におけるケース内壁面との接触による当該内壁面の損傷や損傷時の粉体の発生等を抑制することができるため、利便性の向上が見込める。
【００３７】
また、本実施形態においては、ブラインド１として横型のプリーツスクリーンに本発明に係るブラインドの操作装置が適用されると説明したが、これに限定されるものではない。当該操作装置は横型、縦型のスラットを有するブラインドや、ロールスクリーン、ローマンシェード等の任意のブラインドに適用可能である。同様に、操作コードにより回動可能なコードリールがバネ等の弾性部材により周方向に付勢された機構を有する操作装置であれば、本発明を適用することは可能である。
【００３８】
本発明は、その要旨または主要な特徴から逸脱することなく、他の様々な形で実施することができる。そのため、前述の実施形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００３９】
１  ブラインド
２０  スクリーン（遮蔽材）
３０  操作ユニット（操作装置）
３００  本体ケース
３００−２  第２のケース（ケース）
３００−２ａ  収容面（第２の面）
３００−２ｂ  接地面（第１の面）
３０１  コードリール
３０２  ぜんまいバネ
３４０  操作コード
３６１  係止部
３６２  規制部
Ｅ  仮想円（第２の仮想円）
Ｆ  仮想円（第１の仮想円）
【図１】
2019210665.tif 000003
【図２】
2019210665.tif 000004
【図３】
2019210665.tif 000005
【図４】
2019210665.tif 000006
【図５】
2019210665.tif 000007
【図６】
2019210665.tif 000008
【図７】
2019210665.tif 000009
【図８】
2019210665.tif 000010
【図９】
2019210665.tif 000011
【図１０】
2019210665.tif 000012
【図１１】
2019210665.tif 000013
【図１２】
2019210665.tif 000014
【図１３】
2019210665.tif 000015
【図１４】
2019210665.tif 000016